(57)【要約】      （修正有）【課題】時や状況に応じて比較的短い環状紐または比較的長い環状紐所謂ネックストラップのいずれにも自在かつ簡単に使い分けできるようにして便利ならしめた自在ストラップを提供する。【解決手段】携帯電話機Ｋ等の携帯品に取着される環状紐１０と、該環状紐１０に装着されると共に自在に開閉する出し入れ口２１を備えた空洞状の収納体２０と、前記環状紐１０に収納体２０を介して連設された状態と前記出し入れ口２１から収納体２０内に収納された状態とに自在に変換できる首吊下げ用環状紐３０とから構成される。【選択図】図２
0003104068.tif 000002
【実用新案登録請求の範囲】
【請求項１】
携帯電話機等の携帯品に取着される環状紐と、前記環状紐に装着されると共に自在に開閉する出し入れ口を備えた空洞状の収納体と、前記環状紐に前記収納体を介して連設された状態と前記出し入れ口から前記収納体内に収納された状態とに自在に変換できる首吊下げ用環状紐とからなる自在ストラップ。
【請求項２】
携帯電話機等の携帯品に取着される環状紐と、前記環状紐に装着されると共に自在に開閉する出し入れ口を備えた空洞状の収納体と、前記環状紐に前記収納体を介して連設された状態と前記出し入れ口から前記収納体内に収納された状態とに自在に変換できる首吊下げ用環状紐とからなり、前記出し入れ口に表裏の向きを自在に変えられる開閉蓋を嵌合し、前記開閉蓋に前記首吊下げ用環状紐を取着したことを特徴とする自在ストラップ。
【考案の詳細な説明】
【技術分野】
【０００１】
本考案は、携帯電話機等の携帯品を持つときの手掛けまたは首から吊り下げるときの首掛けとしたり、これらが自在に使い分けできる自在ストラップに関するものである。
【背景技術】
【０００２】
一般に、携帯電話機には、該携帯電話機を持つときの手掛けとしたり、吊り下げるときの掛け紐としたり、更には各種好みのデザインの装飾品を装着してファッション性を楽しむため、比較的短い環状紐を取着している（例えば、特許文献１参照。）。また、両手が自由となりしかも携帯電話機が即座に使用でき、更には紛失し難いといった利点があることから、首から吊下げることができるように比較的長い環状紐いわゆるネックストラップを携帯電話機に取着するようにしている（例えば、特許文献２参照。）。
【特許文献１】実用新案登録第３０７３２２０号公報（第８−１０頁、図１）
【特許文献２】実用新案登録第３０８６７２０号公報（第６−７頁、図１）
【考案の開示】
【考案が解決しようとする課題】
【０００３】
このように、携帯電話機を使用する者は、使用の用途に応じて初めから比較的短い環状紐を使用するか比較的長い環状紐を使用するかを選択し決めている。しかしながら、使用中であっても場合によっては比較的短い環状紐または比較的長い環状紐に交換したいときがある。よって、時や状況に応じてこれらがその都度自在かつ簡単に使い分けできるようになっていると、極めて便利である。
【０００４】
そこで、本考案は上記課題に鑑みてなされたもので、時や状況に応じてその都度比較的短い環状紐または比較的長い環状紐所謂ネックストラップのいずれにも自在かつ簡単に使い分けできるようにして、便利ならしめた自在ストラップを提供することを目的とするものである。
【課題を解決するための手段】
【０００５】
かかる目的を達成するため、本考案に係る自在ストラップは、携帯電話機等の携帯品に取着される環状紐と、該環状紐に装着されると共に自在に開閉する出し入れ口を備えた空洞状の収納体と、前記環状紐に収納体を介して連設された状態と前記出し入れ口から収納体内に収納された状態とに自在に変換できる首吊下げ用環状紐とから構成される。
【０００６】
例えば、前記出し入れ口に表裏の向きを自在に変えられる開閉蓋を嵌合し、前記開閉蓋に前記首吊下げ用環状紐を取着した構成が採られる。
【考案の効果】
【０００７】
本考案に係る自在ストラップは、携帯電話機等の携帯品に取着される環状紐に自在に開閉する出し入れ口を備えた空洞状の収納体を装着し、首吊り下げ用環状紐を環状紐に収納体を介して連設した状態または前記出し入れ口から前記収納体内に収納した状態とに自在に変換できるようにしたので、時と状況に応じて携帯電話機に比較的短い環状紐または首吊下げ用の比較的長い環状紐を取り外して付け替える必要も無く、その都度いずれかに自在かつ簡単に使い分けして使用でき極めて便利であるという効果がある。特に、環状紐を使用する場合は、首吊下げ用環状紐が収納体に収納され隠れてしまうことから、邪魔にならずしかもデザイン上も好適であるという効果が有る。
【考案を実施するための最良の形態】
【０００８】
以下、本考案に係る自在ストラップの実施の形態を図面と共に説明する。図１（イ）は首吊下げ用環状紐を収納体に収納した自在ストラップの斜視図、図１（ロ）は同収納体の縦断面図である。本考案に係る自在ストラップは、例えば、携帯電話機、カメラ等の携帯品に適用されるが、本実施の形態では携帯電話機について説明する。
【０００９】
自在ストラップＡは、携帯電話機Ｋに取着される環状紐１０と該環状紐１０に装着される収納体２０と、首吊下げ用環状紐３０とから構成されている。環状紐１０は、環状をなすと共に手のひらに乗る程度に比較的短くしかも細く強靭な布紐からなる。そして、結束される基端部に該結束部を覆う金属製の筒保持部１１が設けられ、その先端に小径環部材１２が取着されている。そして、環状紐１０の先端部、すなわち筒保持部１１とは反対側を携帯電話機Ｋの外周面であって所定の位置に設けられた挿通孔Ｓに挿通する。これに対し、環状紐１０の基端部は収納体２０に取着する。
【００１０】
収納体２０は、合成樹脂製からなり箱型詳しくは直方体形状をし、周囲を密閉した空洞状に成形される。この中に、比較的長い首吊下げ用環状紐３０を収納しておくことができる。そして、図２（イ）（ロ）に示すようにその一側面２０ａに出し入れ口２１が開設され、該出し入れ口２１に開閉蓋２２が開閉自在に取付けられる。更に詳しく説明すると、図１（ロ）に示すように出し入れ口２１内側の対向する両側面にそれぞれ凹溝２３，２３が設けられる。一方、開閉蓋２２の対向する両側端面にそれぞれ凸条２４，２４が突設され、該各凸条２４が前記各凹溝２３に嵌入して摺動することにより出し入れ口２１が開閉できるようになっている。開閉蓋２２は、表裏どちら向きにしても出し入れ口２１に嵌合できるようにその形状が選ばれる。
【００１１】
また、図２（ロ）に示すように出し入れ口２１の挿入側上面には突起２５が突設されると共に開閉蓋２２の同側表面と裏面に対応してそれぞれ窪み部２６，２６が設けられ、出し入れ口２１を開閉蓋２２で閉じたとき、前記突起２５がいずれかの窪み部２６に嵌合して開閉蓋２２が脱落することなくその閉じた状態を保持できるようにしている。ただ、指先を押し付けて開閉蓋２２をスライドさせると、前記窪み部２６が突起２５から外れ、該開閉蓋２２が移動して出し入れ口２１を開放するようになっている。また、前記開閉蓋２２の一側面２２ａに首吊下げ用環状紐３０を掛止するための環状掛止部２７が設けられる。
【００１２】
前記収納体２０における出し入れ口２１の反対側面には、前記環状紐１０を掛止する環状掛止部２８が設けられ、該環状掛止部２８に環状紐１０の小径環部材１２が掛止される。これにより、環状紐１０に収納体２０が装着される。前記対向して設けられる環状掛止部２７，２８は、それぞれの取付面のほぼ中央部に設けられている。
【００１３】
この場合、収納体２０は、例えば市販され人気の出ている菓子の包装箱をミニチュア化したものであって外周面に各種デザインＤが施されており、ストラップとしての商品価値が高い。そして、その人気と共に可愛らしさが伴ってファッション性を楽しむことができるようになっている。収納体２０には、ほかに菓子の包装袋、または缶ジュース、缶コーヒー、缶ビール、更には薬品の包装容器などの一般の包装容器があり、これらが合成樹脂によってミニチュア化される。
【００１４】
首吊り下げ用環状紐３０は、環状をなす金属製の鎖であって、その長さ寸法が携帯電話機Ｋを首から吊下げて使用できかつ前記収納体２０内に収まる程度に設定されている。また、基端部に金属製の筒保持部３１が設けられ、その先端に小径環部材３２が取着されている。そして、該小径環部材３２が前記収納体２０における開閉蓋２２の環状掛止部２７に掛止される。
【００１５】
本考案に係る自在ストラップＡは上記構成からなり、次にその使用方法について説明する。まず、携帯電話機Ｋを持つときの手掛けとしたり、吊り下げるときの掛け紐としたり、または収納体２０を装着してファッション性を楽しむ場合は、図１（イ）（ロ）に示すように開閉蓋２２の環状掛止部２７を収容体２０の内側に位置させて首吊下げ用環状紐３０を収納体２０の中に収納しておく。このようにすれば、首吊下げ用環状紐３０は収容体２０内に隠されて外からは見えず、デザイン的に全く支障がない。そして、図３（イ）に示すように自在ストラップＡを携帯電話機Ｋの手掛けとしたり、吊り下げるときの掛け紐として使用する。
【００１６】
一方、携帯電話機Ｋを首から吊り下げて使用する場合は、図２（イ）（ロ）に示すように出し入れ口２１から開閉蓋２２を外し、首吊り下げ用環状紐３０を取り出すと共にその開閉蓋２２を表裏逆にして再び出し入れ口２１に嵌める。これにより、首吊り下げ用環状紐３０が収容体２０の外側に出せる。そして、首吊り下げ用環状紐３０は収納体２０を介して環状紐１０と連設され、しかも環状紐１０と首吊下げ用環状紐３０はほぼ同一線上に位置するので、吊下げられる収容体２０が斜めに傾くこともなく見栄えが良い。
【００１７】
このように、本考案は環状紐１０に収納体２０を装着すると共に首吊り下げ用環状紐３０を環状紐１０に収納体２０を介して連設した状態または出し入れ口２１から収納体２０内に収納した状態に自在に変換できるようにしたので、いずれもその都度自在かつ簡単に使い分けして使用でき極めて便利である。特に、環状紐１０を使用する場合は、首吊下げ用環状紐３０が収納体２０に収納され隠れてしまうことから、邪魔にならずしかもデザイン上も好適である。
【００１８】
本考案の自在ストラップＡでは、首吊下げ用環状紐３０を開閉蓋２２に取着した状態を示したが、収納体２０に首吊下げ用環状紐３０が収納できれば、首吊下げ用環状紐３０が開閉蓋２２ではなく収納体２０の他の一側面に取着されていても良い。また、前記首吊下げ用環状紐３０は、鎖に限らず、例えば布、皮、合成樹脂材またはこれらの組合わせであっても良い。
【図面の簡単な説明】
【００１９】
【図１】（イ）は首吊下げ用環状紐を収納体に収納した自在ストラップの斜視図、（ロ）は同収納体の縦断面図。
【図２】（イ）は首吊下げ用環状紐を収納体から出した自在ストラップの斜視図、（ロ）は同収納体の縦断面図。
【図３】（イ）は携帯電話機を持つときの手掛けとしての自在ストラップの使用状態図、（ロ）は携帯電話を首から吊下げるときの自在ストラップの使用状態図。
【符号の説明】
【００２０】
１０                環状紐
２０                収納体
２１                出し入れ口
３０                首吊下げ用環状紐
Ａ                  自在ストラップ
Ｋ                  携帯電話機
【図１】
0003104068.tif 000003
【図２】
0003104068.tif 000004
【図３】
0003104068.tif 000005